(57)【特許請求の範囲】
【請求項１】
複数のＳＴＭ回線から受信したフレームデータを同期情報や通信情報に分離すると共に、ＡＴＭ交換機から受信した通信情報に同期情報等を付加してフレームデータに組み立ててＳＴＭ回線に送信するフレーム終端手段と、
このフレーム終端手段で分離された複数のＳＴＭ回線からの通信情報を多重化する多重化手段と、
この多重化手段で多重化された通信情報を固定バイト長のセルに組み立てＡＴＭ交換機に送信するセル化手段と、
ＡＴＭ交換機から受信した複数のＳＴＭ回線に対するセルを回線別に分離し、前記フレーム終端手段に対して回線別の通信情報として入力するセル分解手段と
を備えるＳＴＭ回線を含むＡＴＭネットワークシステムにおいて、
前記フレーム終端手段内に、
試験データ発生手段と、
ループバックされた試験データと前記試験データ発生手段から発生された試験データとを比較し、その異同によってＳＴＭ回線を含むＡＴＭネットワークシステムの異常を検出する比較手段と
を設け、
さらに、前記フレーム終端手段、多重化手段、セル化手段、セル分解手段、ＡＴＭ交換機のそれぞれにループバック手段
を設け、前記試験データ発生手段から発生された試験データを所望のループバック手段を介してフレーム終端部にループバックさせ、ＳＴＭ回線を含むＡＴＭネットワークシステムの異常の有無を監視する
ことを特徴とするＳＴＭ回線を含むＡＴＭネットワークシステムの保守方法。
【発明の詳細な説明】
【０００１】
【発明の属する技術分野】
本発明は、ＳＴＭ回線を含むＡＴＭネットワークシステムの保守方法に関するものである。
【０００２】
【従来の技術】
従来、ＡＴＭ（非同期転送モード）ネットワークシステムにおいては、保守運用情報のセル（以下、ＯＡＭセル）を送出し、対向するＡＴＭ交換機で該当するＯＡＭセルを抽出し、通信の正常性を確認していた。
【０００３】
一方、ＳＴＭ（同期転送モード）ネットワークシステムにおいては、ＯＡＭセルは使用できないので、回線試験機を送信側と受信側の両方に接続するか、試験データを通信路の途中でループバックさせ、送信側試験機の受信試験データ比較機能により、正常性を確認するという方法を採っていた。
【０００４】
【発明が解決しようとする課題】
しかしながら、最近では既存のＳＴＭネットワークとＡＴＭネットワークとを結合したネットワークが構築されつつある。
【０００５】
このようなネットワークにあっては、ＳＴＭ回線側はＯＡＭセルは使用できないので、その正常性を確認するためには、上記のように、回線試験機を用いる必要があり、通信障害等の発生時に、ＳＴＭネットワーク側に障害が発生したのか、ＡＴＭネットワーク側に障害が発生したのかを迅速に把握することができず、障害発生時の対策を迅速に講じることができないなどの問題があった。
【０００６】
本発明の目的は、ＳＴＭ回線を含むＡＴＭネットワークシステムにおいて、回線試験機を使用することなく、ネットワーク全体の障害部位を迅速に検出し、その対策を迅速に講じることが可能なＳＴＭ回線を含むＡＴＭネットワークシステの保守方法を提供することにある。
【０００７】
【課題を解決するための手段】
上記のような目的を解決するために本発明は、複数のＳＴＭ回線から受信したフレームデータを同期情報や通信情報に分離すると共に、ＡＴＭ交換機から受信した通信情報に同期情報等を付加してフレームデータに組み立ててＳＴＭ回線に送信するフレーム終端手段と、このフーム終端手段で分離された複数のＳＴＭ回線からの通信情報を多重化する多重化手段と、この多重化手段で多重化された通信情報を固定バイト長のセルに組み立てＡＴＭ交換機に送信するセル化手段と、ＡＴＭ交換機から受信した複数のＳＴＭ回線に対するセルを回線別に分離し、前記フレーム終端手段に対して回線別の通信情報として入力するセル分解手段とを備えるＳＴＭ回線を含むＡＴＭネットワークシステムにおいて、前記フレーム終端手段内に、試験データ発生手段と、ループバックされた試験データと前記試験データ発生手段から発生された試験データとを比較し、その異同によってＳＴＭ回線を含むＡＴＭネットワークシステムの異常を検出する比較手段とを設け、さらに、前記フレーム終端手段、多重化手段、セル化手段、セル分解手段、ＡＴＭ交換機のそれぞれにループバック手段を設け、前記試験データ発生手段から発生された試験データを所望のループバック手段を介してフレーム終端部にループバックさせ、ＳＴＭ回線を含むＡＴＭネットワークシステムの異常の有無を監視することを特徴とする。
【０００８】
このようにすることにより、通信障害がどの部位にあるかを迅速に切り分け、その対策を迅速に行うことができる。
【０００９】
さらに、ＳＴＭ回線を含むＡＴＭネットワークシステムの運用開始前あるいは増設時に、回線試験機を一々接続することが必要なくなることから、試験時間を大幅に短縮することができる。さらに、ＳＴＭ回線の複数ポートを収容するシステムにあっては、回線試験機を繋ぎ換える必要がなくなり、この点でも試験時間を大幅に短縮することができる。
【００１０】
【発明の実施の形態】
以下に、添付図を参照して本発明の一実施の形態を詳細に説明する。
【００１１】
図１は、本発明の保守方法を適用するＳＴＭ回線を含むＡＴＭネットワークの一実施の形態を示すブロック図である。
【００１２】
図１において、１ａおよび１ｂはＳＴＭ回線インタフェース部、２ａおよび２ｂはＡＴＭ交換機、３はＡＴＭネットワーク、４はネットワーク管理者がネットワーク監視のために使用する管理装置である。
【００１３】
ＳＴＭ回線インタフェース部１ａ，１ｂに収容されるＳＴＭ回線は、例えば既存の６４Ｋｂｐｓ、１．５Ｍｂｐｓ，６．３Ｍｂｐｓ等の回線であり、通常、複数のＳＴＭ回線が収容される。
【００１４】
図２は、ＳＴＭ回線インタフェース部１ａ，１ｂの内部構成を示すブロック図であり、ＳＴＭ回線１１からのフレームデータを受信し、またＳＴＭ回線方向へフレームデータを送信するフレーム終端部１２、試験データ発生部１３および試験データ比較部１４、送信試験データ切替部１５および受信試験データ切替部１６、制御部１７とを備えている。
【００１５】
フレーム終端部１２は、複数のＳＴＭ回線から受信したフレームデータを同期情報、警報情報、通信情報に分離すると共に、ＡＴＭ交換機２ａ側から受信した通信情報に同期情報等を付加してフレームデータに組み立ててＳＴＭ回線１１に送信する手段を備えている。
【００１６】
このフーム終端部１２で分離された複数のＳＴＭ回線からの通信情報は、多重部１８で多重化された後、セル送受信部２０でＩＴＵ−Ｔ  Ｉ．４３２規格に準拠した固定バイト長のセルに組み立てられてＡＴＭ交換機２ａに転送される。
【００１７】
一方、ＡＴＭ交換機２ａ側から受信した複数のＳＴＭ回線に対するセルは、セル送受信部２０でＩＴＵ−Ｔ  Ｉ．４３２規格に準拠してデセル化された後、分離部１９で回線別に分離され、フレーム終端部１２に対して回線別の通信情報として入力される。
【００１８】
試験データ発生部１３は、ネットワークの性能あるいは障害を検査するための試験データを発生するものであり、例えば、ランダムパターンであるＭ系列符号、ＰＲＢＳ符号等の自己同期可能なデータ、あるいは所定のデータパターンの固定長データを発生する。
【００１９】
送信試験データ切替部１５は、制御部１７からの指示により、フレーム終端部１２の出力に代えて試験データ発生部１３から発生された試験データを多重部１８に入力させるためのものである。
【００２０】
受信試験データ切替部１６は、制御部１７の指示により出力先を試験データ比較部１４に切替え、多重部１８および分離部１９を介して通信経路中の途中からループバックされた試験データを試験データ比較部１４に入力する。
【００２１】
試験データ比較部１４は、ループバックされた試験データと試験データ発生部１３が発生した試験データとを比較し、試験データのループバック点に至る回線の性能あるいは障害の状態を検出する。試験データの比較は、単なる一致、不一致の処理であってもよいし、データの誤り率等を計算する処理であってもよい。
【００２２】
なお、試験データ発生部１３、送信試験データ切替部１５、試験データ比較部１４、受信試験データ切替部１６はフレーム終端部１２の内部に収容するようにしてもよい。また、試験データ発生部１２、送信試験データ切替部１３、試験データ比較部１６、受信試験データ切替部１７はＳＴＭ回線１１のポートごとに設置してもよい。
【００２３】
図３は、ＳＴＭ回線インタフェース部１ａの各機能部のループバック経路の例を示す図であり、３０ａはセル受信側ループバック、３０ｂはセル送信側ループバック、３１ａは分離データ受信ループバック、３１ｂは多重データ送信ループバック、３２ａは送信データループバック、３２ｂは受信データループバック、２２は分界点で一番コネクタに近いループバックポイントである。
【００２４】
本発明では、このようなループバック手段を用いて分解点までの通信経路の状態を検査する。
【００２５】
図４は、対向側のＳＴＭ回線インタフェース部２ｂとの間で試験データをループバックし、対向側のＳＴＭ回線インタフェース部２ｂの各機能部に至る通信経路の状態を検査する場合のループバック経路の例を示す図であり、目的のループバック経路をループバックアドレスによって指定し、試験データ発生部１３から発生させた試験データをＡＴＭネットワーク３経由で送信すると、その試験データは指定したループバック経路でループバックし、試験データ比較部１４に戻って来る。
【００２６】
試験データ比較部１４は、戻って来た試験データと試験データ発生部１３が発生した試験データとを比較し、その異同によってループバック点に至る通信経路の状態を判定する。
【００２７】
例えば、対向側のＳＴＭ回線インタフェース部２ｂのセル受信部２０のセル受信側ループバック３０ａを指定した場合、そのセル受信側ループバック３０ａに至る通信経路の状態が正常であれば、試験データはセル受信側ループバック３０ａでループバックし、試験データ比較部１４に戻って来る。
【００２８】
そこで、試験データ比較部１４は、戻って来た試験データと試験データ発生部１３が発生した試験データとを比較し、その異同によってセル受信側ループバック３０ａに至る通信経路の状態を判定する。同様に、対向側のＳＴＭ回線インタフェース部２ｂの分離部１９及び多重部１８の分離データ受信ループバック３１ａを指定した場合、その分離データ受信ループバック３１ａに至る通信経路の状態が正常であれば、試験データは分離データ受信ループバック３１ａでループバックし、試験データ比較部１４に戻って来る。
【００２９】
そこで、試験データ比較部１４は、戻って来た試験データと試験データ発生部１３が発生した試験データとを比較し、その異同によって分離データ受信ループバック３１ａに至る通信経路の状態を判定する。
【００３０】
同様に、対向側のＳＴＭ回線インタフェース部２ｂの送信データループバック３２ａを指定した場合、その送信データループバック３２ａに至る通信経路の状態が正常であれば、試験データは送信データループバック３２ａでループバックし、試験データ比較部１４に戻って来る。
【００３１】
そこで、試験データ比較部１４は、戻って来た試験データと試験データ発生部１３が発生した試験データとを比較し、その異同によって送信データループバック３２ａに至る通信経路の状態を判定する。
【００３２】
同様に、対向側のＳＴＭ回線インタフェース部２ｂの分解点に一番近いコネクタのループバック３３を指定した場合、そのループバック３３に至る通信経路の状態が正常であれば、試験データはループバック３３でループバックし、試験データ比較部１４に戻って来る。そこで、試験データ比較部１４は、戻って来た試験データと試験データ発生部１３が発生した試験データとを比較し、その異同によってループバック３３に至る通信経路の状態を判定する。
【００３３】
図５は、ＳＴＭ回線インタフェース部１ａからＡＴＭ交換機２ａに至る通信経路の状態を検査する場合のループバック点の例を示す図であり、例えば、ＳＴＭ回線インタフェース部１ａ内部の受信データループバック３２ｂを指定した場合、その受信データループバック３２ｂに至る通信経路の状態が正常であれば、試験データはセル受信側ループバック３２ｂでループバックし、試験データ比較部１４に戻って来る。
【００３４】
そこで、試験データ比較部１４は、戻って来た試験データと試験データ発生部１３が発生した試験データとを比較し、その異同によって受信データループバック３２ｂに至る通信経路の状態を判定する。
【００３５】
同様に、ＳＴＭ回線インタフェース部１ａ内部の多重データ送信ループバック３１ｂを指定した場合、その多重データ送信ループバック３１ｂに至る通信経路の状態が正常であれば、試験データは多重データループバック３１ｂでループバックし、試験データ比較部１４に戻って来る。そこで、試験データ比較部１４は、戻って来た試験データと試験データ発生部１３が発生した試験データとを比較し、その異同によって多重データ送信ループバック３１ｂに至る通信経路の状態を判定する。セル送信側ループバック３０ｂを指定した場合も同様である。
【００３６】
図６は、ＳＴＭ回線１１方向のループバック３３に至る経路の状態を検査する場合の例を示す図であり、ＳＴＭ回線１１方向のループバック３３を指定し、試験データを送信する。
【００３７】
すると、そのループバック３３に至る通信経路の状態が正常であれば、試験データはループバック３３でループバックし、試験データ比較部１４に戻って来る。そこで、試験データ比較部１４は、戻って来た試験データと試験データ発生部１３が発生した試験データとを比較し、その異同によってループバック３３に至る通信経路の状態を判定する。
【００３８】
図７は、対向するＳＴＭインタフェース部１ａと１ｂとの間で試験データを双方向で送信し、かつ双方の試験データ比較部１４で試験データの異同を比較する場合の例を示す図であり、一方の試験データ発生部１３から発生された試験データはＡＴＭネットワーク３を介して対向するＳＴＭインタフェース部の試験データ比較部１４に送信される。
【００３９】
試験データ比較部１４は受信した試験データが正常であるか否かによって対向するＳＴＭインタフェース部の試験データ発生部１３との間の通信経路の状態を判定する。
【００４０】
したがって、この方法を用いれば、試験データによる検査機能自体を検査することができ、検査機能の故障によって他の機能部分が誤って判定されることを未然に防止することができる。
【００４１】
なお、双方の試験データ発生部１３が発生する試験データは、異なっていてもよい。異ならせた場合は、送信する試験データを対向側の試験データ比較部１４に予め登録しておけばよい。
【００４２】
図８は、ＳＴＭ回線インタフェース部１ａ内に複数のポートが収容されている場合に、その複数のポート間の状態を検査する場合の例を示す図であり、ここではＡＴＭ交換機２ａで試験データをループバックさせる例を示している。この例においては、一方のポートの試験データ発生部１３から発生された試験データはＡＴＭ交換機２ａを介して他のポートの試験データ比較部１４に送信される。
【００４３】
試験データ比較部１４は受信した試験データが正常であるか否かによって送信側のポートの試験データ発生部１３との間の通信経路の状態を判定する。
【００４４】
なお、ループバック点はＡＴＭ交換機２ａ内部でなく、図３で示したループバックのいずれか１つを選択することができる。
【００４５】
図９は、ＳＴＭ回線インタフェース部とＡＴＭ交換機とを１つのノード装置として構成し、これをＡＴＭネットワーク３で接続したシステムの実施形態を示す図である。ここでは、ＡＴＭネットワーク３に４つのノード装置９１ａ〜９１ｄが接続され、さらに１つの管理装置９２が設けられ、システム全体の通信経路の状態などを管理装置９２で監視するようになっている。管理装置９２は全てのノード装置９１ａ〜９１ｄに接続可能になっている。
【００４６】
図１０は、各ノード装置９１ａ〜９１の内部構成を示すブロック図であり、受信側のフレーム終端部９１１、送信側のフレーム終端部９１２、試験データ発生部９１３、試験データ比較部９１５、送信試験データ切替部９１４、受信試験データ切替部９１６、多重部９１７、分離部９２０、制御部９２３を備えている。さらに、ＡＡＬ１送信部９１８、ＡＡＬ１受信部９２１、ＡＴＭ交換機９１９を備えている。フレーム終端部９１１および９１２は図２のフレーム終端部１２と同様の機能部である。
【００４７】
また、試験データ発生部９１３、試験データ比較部９１５、多重部９１７、分離部９２０、制御部９２３は、図２の試験データ発生部１３、試験データ比較部１４、送信試験データ切替部１５、受信試験データ切替部１６、多重部１８、分離部１９と同様の機能部である。
【００４８】
ＡＡＬ１送信部９１８は、多重部９１７で多重化されたデータをＩＴＵ−Ｔ  Ｉ．４３２に規定された基準に従い、セル化してＡＴＭ交換機９１９に送信するものである。ＡＡＬ１受信部９２１は、ＡＴＭ交換機９１９から受信したセルをＩＴＵ−Ｔ  Ｉ．４３２に規定された基準に従い、デセル化して分離部９２０に送信するものである。
【００４９】
図１１は、各ノード装置の各機能部のループバック経路の例を示す図であり、３０ａはセル受信側ループバック、３０ｂはセル送信側ループバック、３１ａは分離データ受信ループバック、３１ｂは多重データ送信ループバック、３２ａは送信データループバック、３２ｂは受信データループバック、２２は分界点で一番コネクタに近いループバックポイント、３４ＡＴＭ交換機９１９内のループバックである。
【００５０】
本発明では、このようなループバック手段を用いて各ノード装置間の通信経路の状態を検査する。
【００５１】
図１２は、ノード装置９１ａと他のノード装置９１ｂとの間で試験データをループバックし、他のノード装置９１ｂの各機能部に至る通信経路の状態を検査する場合のループバック経路の例を示す図であり、目的のループバック経路をループバックアドレスによって指定し、試験データ発生部９１３から発生させた試験データをＡＴＭネットワーク３経由で送信すると、その試験データは指定したループバック経路でループバックし、試験データ比較部９１５に戻って来る。
【００５２】
試験データ比較部９１５は、戻って来た試験データと試験データ発生部９１３が発生した試験データとを比較し、その異同によってループバック点に至る通信経路の状態を判定する。
【００５３】
例えば、他のノード装置９１ｂのセル受信側ループバック３０ａを指定した場合、そのセル受信側ループバック３０ａに至る通信経路の状態が正常であれば、試験データはセル受信側ループバック３０ａでループバックし、試験データ比較部９１５に戻って来る。
【００５４】
そこで、試験データ比較部９１５は、戻って来た試験データと試験データ発生部９１３が発生した試験データとを比較し、その異同によってセル受信側ループバック３０ａに至る通信経路の状態を判定する。他のループバックについても同様である。
【００５５】
図１３は、１つのノード装置内のフレーム終端部９１２からＡＴＭ交換機９１９に至る通信経路の状態を検査する場合のループバック点の例を示す図であり、例えば、ノード装置９１ａ内部の受信データループバック３２ｂを指定した場合、その受信データループバック３２ｂに至る通信経路の状態が正常であれば、試験データはセル受信側ループバック３２ｂでループバックし、試験データ比較部９１５に戻って来る。
【００５６】
そこで、試験データ比較部９１５は、戻って来た試験データと試験データ発生部９１３が発生した試験データとを比較し、その異同によって受信データループバック３２ｂに至る通信経路の状態を判定する。
【００５７】
同様に、ノード装置９１ａ内部の多重データ送信ループバック３１ｂを指定した場合、その多重データ送信ループバック３１ｂに至る通信経路の状態が正常であれば、試験データは多重データループバック３１ｂでループバックし、試験データ比較部９１５に戻って来る。そこで、試験データ比較部９１５は、戻って来た試験データと試験データ発生部９１３が発生した試験データとを比較し、その異同によって多重データ送信ループバック３１ｂに至る通信経路の状態を判定する。
【００５８】
セル送信側ループバック３０ｂやＡＴＭ交換機９１９内部のループバック３４ｂを指定した場合も同様である。
【００５９】
図１４は、ノード装置９１ａと他のノード装置９１ｂとの間で試験データをループバックし、他のノード装置９１ｂの各機能部に至る通信経路の状態を検査する場合の手順を示すフローチャートであり、まず、管理装置９２により他のノード装置９１ｂのＡＴＭ交換機９１９のループバック３４ａでループバックするようにループバック経路をループバックアドレスによって指定し（ステップ１４０１）、ノード装置９１ａの試験データ発生部９１３から試験データを発生させ、他のノード装置９１ｂに送信する（ステップ１４０２）。
【００６０】
試験データ比較部９１５は、他のノード装置９１ｂのループバック３４ａでループバックし、戻って来た試験データと試験データ発生部９１３が発生した試験データとを比較し、その異同によってセル受信側ループバック３０ａに至る通信経路の状態を判定する（ステップ１４０３）。例えば、試験データが一致しない場合は異常有りと判定する。
【００６１】
ループバック３４ａに至る経路が正常であった場合、次に、前記ループバック３４ａの経路設定を解除し、ＡＡＬ１受信部９２１および送信部９１８のループバック３０ａでループバックするようにループバック経路をループバックアドレスによって指定し（ステップ１４０４）、ノード装置９１ａの試験データ発生部９１３から試験データを発生させ、他のノード装置９１ｂに送信する（ステップ１４０５）。
【００６２】
試験データ比較部９１５は、他のノード装置９１ｂのループバック３０ａでループバックし、戻って来た試験データと試験データ発生部９１３が発生した試験データとを比較し、試験データが一致しない場合は異常有りと判定する（ステップ１４０６）。
【００６３】
ループバック３０ａに至る経路が正常であった場合、次に、前記ループバック３０ａの経路設定を解除し、分離部９２０および多重部９１７のループバック３１ａでループバックするようにループバック経路をループバックアドレスによって指定し（ステップ１４０７）、ノード装置９１ａの試験データ発生部９１３から試験データを発生させ、他のノード装置９１ｂに送信する（ステップ１４０８）。試験データ比較部９１５は、他のノード装置９１ｂのループバック３１ａでループバックし、戻って来た試験データと試験データ発生部９１３が発生した試験データとを比較し、試験データが一致しない場合は異常有りと判定する（ステップ１４０９）。
【００６４】
ループバック３１ａに至る経路が正常であった場合、次に、前記ループバック３１ａの経路設定を解除し、ループバック３２ａでループバックするようにループバック経路をループバックアドレスによって指定し（ステップ１４１０）、ノード装置９１ａの試験データ発生部９１３から試験データを発生させ、他のノード装置９１ｂに送信する（ステップ１４１１）。試験データ比較部９１５は、他のノード装置９１ｂのループバック３２ａでループバックし、戻って来た試験データと試験データ発生部９１３が発生した試験データとを比較し、試験データが一致しない場合は異常有りと判定する（ステップ１４１２）。
【００６５】
ループバック３２ａに至る経路が正常であった場合、次に、前記ループバック３２ａの経路設定を解除し、ループバック３３でループバックするようにループバック経路をループバックアドレスによって指定し（ステップ１４１３）、ノード装置９１ａの試験データ発生部９１３から試験データを発生させ、他のノード装置９１ｂに送信する（ステップ１４１４）。試験データ比較部９１５は、他のノード装置９１ｂのループバック３２ａでループバックし、戻って来た試験データと試験データ発生部９１３が発生した試験データとを比較し、試験データが一致しない場合は異常有りと判定する（ステップ１４１５）。
【００６６】
そして、全てのループバック経路が正常または異常であることを管理装置９２に通知する（ステップ１４１６）。
【００６７】
なお、図１４ではループバック可能な経路を順番に指定しているが、本発明はこれに限定されるものではなく、複数のループバック点を１つおきに指定するなどの方法も実施可能である。
【００６８】
図１５は、１つのノード装置内のフレーム終端部９１２からＡＴＭ交換機９１９に至る通信経路の状態を検査する場合の手順を示すフローチャートであり、まず、管理装置９２によりループバック３２ｂでループバックするようにループバック経路をループバックアドレスによって指定し（ステップ１５０１）、試験データ発生部９１３から試験データを発生させて送信する（ステップ１５０２）。
【００６９】
試験データ比較部９１５は、ループバック３２ｂでループバックし、戻って来た試験データと試験データ発生部９１３が発生した試験データとを比較し、試験データが一致しない場合は異常有りと判定する（ステップ１５０３）。
【００７０】
ループバック３２ｂに至る経路が正常であった場合、次に、前記ループバック３２ｂの経路設定を解除し、分離部９２０および多重部９１７のループバック３１ｂでループバックするようにループバック経路をループバックアドレスによって指定し（ステップ１５０４）、試験データ発生部９１３から試験データを発生させて送信する（ステップ１５０５）。試験データ比較部９１５は、ループバック３１ｂでループバックし、戻って来た試験データと試験データ発生部９１３が発生した試験データとを比較し、試験データが一致しない場合は異常有りと判定する（ステップ１５０６）。
【００７１】
ループバック３１ｂに至る経路が正常であった場合、次に、前記ループバック３１ｂの経路設定を解除し、ＡＡＬ１送信部９１８およびＡＡＬ１受信部９２１のループバック３０ｂでループバックするようにループバック経路をループバックアドレスによって指定し（ステップ１５０７）、試験データ発生部９１３から試験データを発生させて送信する（ステップ１５０８）。
【００７２】
試験データ比較部９１５は、ループバック３０ｂでループバックし、戻って来た試験データと試験データ発生部９１３が発生した試験データとを比較し、試験データが一致しない場合は異常有りと判定する（ステップ１５０９）。
【００７３】
ループバック３０ｂに至る経路が正常であった場合、次に、前記ループバック３０ｂの経路設定を解除し、ＡＴＭ交換機９１９内のループバック３４ｂでループバックするようにループバック経路をループバックアドレスによって指定し（ステップ１５１０）、試験データ発生部９１３から試験データを発生させて送信する（ステップ１５１１）。
【００７４】
試験データ比較部９１５は、ループバック３４ｂでループバックし、戻って来た試験データと試験データ発生部９１３が発生した試験データとを比較し、試験データが一致しない場合は異常有りと判定する（ステップ１５１２）。そして、全てのループバック経路が正常または異常であることを管理装置９２に通知する（ステップ１５１３）。
【００７５】
図１６は、１つのノード装置９１ａ内でＳＴＭ回線側のループバック３３に至る通信経路状態を検査する場合の手順を示すフローチャートであり、まず、管理装置９２によりループバック３３でループバックするようにループバック経路をループバックアドレスによって指定し（ステップ１６０１）、試験データ発生部９１３から試験データを発生させて送信する（ステップ１６０２）。
【００７６】
試験データ比較部９１５は、ループバック３３でループバックし、戻って来た試験データと試験データ発生部９１３が発生した試験データとを比較し、試験データが一致しない場合は異常有りと判定する（ステップ１６０３）。そして、ループバック３３に至る経路が正常または異常であることを管理装置９２に通知する（ステップ１６１４）。
【００７７】
図１７は、試験データをループバックせずに、ノード装置９１ａと他のノード装置９１ｂとの間で試験データを送受し、他のノード装置９１ｂの試験データ比較部９１５に至る通信経路の状態を検査する場合の手順を示すフローチャートであり、まず、管理装置９２により他のノード装置９１ｂの試験データ比較部９１５に対してノード装置９１ａから試験データを送信する（ステップ１７０１）。
【００７８】
受信側のノード装置９１ｂの試験データ比較部９１５は、送信元のノード装置９１ａから受信した試験データと自ノードの試験データ発生部９１３が発生した試験データとを比較し、試験データが一致しない場合は異常有りと判定する（ステップ１７０２）。
【００７９】
ノード装置９１ａからノード装置９１ｂに向かう方向の経路が正常であった場合、次に、ノード装置９１ｂからノード装置９１ａに向かう方向の経路を検査するために、ノード装置９１ｂから試験データを発生させ、ノード装置９１ａに送信する（ステップ１７０３）。
【００８０】
受信側のノード装置９１ａの試験データ比較部９１５は、送信元のノード装置９１ｂから受信した試験データと自ノードの試験データ発生部９１３が発生した試験データとを比較し、試験データが一致しない場合は異常有りと判定する（ステップ１７０４）。そして、双方のノード装置９１ａ，９１ｂに至る経路が正常または異常であることを管理装置９２に通知する（ステップ１７０５）。
【００８１】
【発明の効果】
以上の説明から明らかなように、本発明の保守方法によれば、通信障害時の切り分けは管理装置により試験データを送信し、試験データ比較部の結果により瞬時に判断でき、回線試験機を使用する場合に比べ大幅に時間が短縮できる。
【００８２】
また、運用開始前や増設時にも管理装置により同様に結果が瞬時に判断できるので、試験時間を大幅に短縮できる。
【図面の簡単な説明】
【図１】ＳＴＭ回線を含むＡＴＭネットワークシステムの一実施の形態を示すブロック図。
【図２】ＳＴＭ回線インタフェース部の詳細構成図。
【図３】ＳＴＭ回線インタフェース部の各機能部のループバック経路の説明図。
【図４】対向側のＳＴＭ回線インタフェース部でループバックした場合の説明図。
【図５】ＳＴＭ回線インタフェース部の内部でループバックした場合の説明図。
【図６】ＳＴＭ回線インタフェース部の内部でＳＴＭ回線側にループバックした場合の説明図。
【図７】対向のＳＴＭ回線インタフェース部同士で試験データを送受して試験を行う場合の説明図。
【図８】ＳＴＭ回線インタフェース部内部の複数のポート同士で試験データを送受して試験を行う場合の説明図。
【図９】ＳＴＭ回線インタフェース部とＡＴＭ交換機とを１つのノード装置として構成したＡＴＭネットワークシステムの実施形態を示すシステム構成図。
【図１０】図９における各ノード装置の内部構成を示すブロック図。
【図１１】図９における各ノード装置の各機能部のループバック経路の例を示す図。
【図１２】１つのノード装置と他のノード装置との間で試験データをループバックし、他のノード装置の各機能部に至る通信経路の状態を検査する場合のループバック経路の例を示す図。
【図１３】１つのノード装置内のフレーム終端部からＡＴＭ交換機に至る通信経路の状態を検査する場合のループバック点の例を示す図。
【図１４】１つのノード装置と他のノード装置との間で試験データをループバックし、他のノード装置の各機能部に至る通信経路の状態を検査する場合の手順を示すフローチャート。
【図１５】１つのノード装置内のフレーム終端部からＡＴＭ交換機に至る通信経路の状態を検査する場合の手順を示すフローチャート。
【図１６】１つのノード装置内でＳＴＭ回線側のループバックに至る通信経路状態を検査する場合の手順を示すフローチャート。
【図１７】１つのノード装置と他のノード装置との間で試験データを送受し、他のノード装置の試験データ比較部に至る通信経路の状態を検査する場合の手順を示すフローチャート。
【符号の説明】
１ａ，１ｂ    ＳＴＭ回線インタフェース部
２ａ，２ｂ    ＡＴＭ交換機
３            ＡＴＭネットワーク
４            管理装置
１１          ＳＴＭ回線
１２          フレーム終端部
１３          試験データ発生部
１４          試験データ比較部
１５          送信試験データ切替部
１６          受信試験データ切替部
１７          制御部
１８          多重部
１９          分離部
２０          セル送受信部
９１ａ〜９１ｄ    ノード装置
９２          管理装置
９１８        ＡＡＬ１送信部
９２１        ＡＡＬ１受信部
【図１】
0003618550.tif 000002
【図２】
0003618550.tif 000003
【図３】
0003618550.tif 000004
【図４】
0003618550.tif 000005
【図５】
0003618550.tif 000006
【図６】
0003618550.tif 000007
【図７】
0003618550.tif 000008
【図８】
0003618550.tif 000009
【図９】
0003618550.tif 000010
【図１０】
0003618550.tif 000011
【図１１】
0003618550.tif 000012
【図１２】
0003618550.tif 000013
【図１３】
0003618550.tif 000014
【図１４】
0003618550.tif 000015
【図１５】
0003618550.tif 000016
【図１６】
0003618550.tif 000017
【図１７】
0003618550.tif 000018